(57)【特許請求の範囲】
【請求項１】
少なくとも中間階を１以上有し、該中間階は、一般居室と、該一般居室に隣接して設けられて当該一般居室よりも床面の高さが低い床下げ居室とを備え、該床下げ居室の下方には外部に開放された屋外領域が形成された建物の床構造であって、
前記一般居室の底部は一般床部により形成され、
前記床下げ居室の底部は前記一般床部よりも低い位置に床面を有する下げ床部により形成され、
前記一般床部の下方に下階居室が設けられると共に、前記下げ床部の下方には、気密性を有して前記下階居室の側面を形成する外壁部が設けられており、
前記一般床部と前記下げ床部との間には、前記屋外領域の外気と前記床下げ居室との連続を遮蔽する蓋体が設けられ、
前記蓋体は、上部が少なくとも前記一般床部との間で気密処理を施された状態で連結されていると共に、下部が前記下げ床部との間で気密処理を施された状態で連結されていることを特徴とする建物の床構造。
【請求項２】
少なくとも中間階を１以上有し、該中間階は、一般居室と、該一般居室に隣接して設けられて当該一般居室よりも床面の高さが低い床下げ居室とを備え、該床下げ居室の下方には外部に開放された屋外領域が形成された建物の床構造であって、
前記一般居室の底部は一般床部により形成され、
前記床下げ居室の底部は前記一般床部よりも低い位置に床面を有する下げ床部により形成され、
前記一般床部と前記下げ床部との間には、前記屋外領域の外気と前記床下げ居室との連続を遮蔽する蓋体が設けられ、
前記蓋体は、上部が少なくとも前記一般床部との間で気密処理を施された状態で連結されていると共に、下部が前記下げ床部との間で気密処理を施された状態で連結され、
前記中間階は、前記一般床部の前記床下げ居室側の端部を支持する梁を備え、
前記蓋体は、プレート状に形成されて前記梁の床下げ居室側の側面に沿って設けられていることを特徴とする建物の床構造。
【請求項３】
前記梁は、一対のフランジをウェブにより接続してなるＨ型を呈しており、前記蓋体の前記梁側であって一対のフランジの間には、遮音材が充填されていることを特徴とする請求項２記載の建物の床構造。
【請求項４】
前記一般床部及び前記下げ床部の室内側表面には気密層が設けられ、前記蓋体は、前記一般床部及び前記下げ床部の気密層に気密処理が施された状態で連結されていることを特徴とする請求項１〜３のいずれか一項記載の建物の床構造。
【請求項５】
前記一般床部の下方に下階居室が設けられると共に、前記下げ床部または前記梁の下方には、気密性を有して前記下階居室の側面を形成する外壁部が設けられており、
前記外壁部と前記一般床部との間には、前記梁の前記下階居室側の側面に沿って延在し、且つ前記外壁部に気密処理を施された状態で連結されると共に、前記一般床部の床面に気密処理を施された状態で連結されて前記屋外領域の外気と前記下階居室との連続を遮断する第２の蓋体が設けられていることを特徴とする請求項２または３記載の建物の床構造。
【請求項６】
前記蓋体は、気密性と断熱性とを具備するプラスチック系断熱材により形成されていることを特徴とする請求項１〜５のいずれか一項記載の建物の床構造。
【発明の詳細な説明】
【技術分野】
【０００１】
本発明は、住宅等の建物の床構造に関する。
【背景技術】
【０００２】
近年の住宅においては、快適性の向上や冷暖房の効率を高め且つ結露等の不具合を防止するために、住宅内部の居室空間を囲むように断熱ライン及び気密ラインを形成して、良好な断熱性と気密性を確保した構造のものが知られている。このような断熱ラインや気密ラインは、住宅の外壁、天井及び床に設ける断熱面や気密面を繋げることで形成されている。
【０００３】
例えば特許文献１には、鉄骨造の躯体構造に軽量気泡コンクリート（ＡＬＣ）からなる床パネルと外壁とを取り付けて形成される住宅建物が開示されており、当該住宅建物では、気密、及び断熱ラインが階毎に形成されている。或る階の気密、及び断熱ラインを代表して説明すると、その階の外壁の室内側には気密断熱材が沿設され、その階の一つ上の階の床パネルを支える梁の下面及び室内側側面に沿って気密断熱材が設けられている。そして、上の階の床パネル、梁周りの気密断熱材、外壁に沿設された気密断熱材、及び、その階の床パネル表面によって気密、及び断熱ラインが形成される。
【０００４】
ところで、近年、住宅建物に対する空間構成の自由度に対する要求は強まってきており、居室の性質に応じて当該居室の高さを他の居室よりも高く或いは低くする提案もなされてきている。例えば特許文献２には、中間階に当該中間階を構成する一部の床をより低くした下げ床部を有するスキップフロア型の建物の構成が開示されている。
【先行技術文献】
【特許文献】
【０００５】
【特許文献１】特開２００３−９６９４０号公報
【特許文献２】特開２００２−３３２７１１号公報
【発明の概要】
【発明が解決しようとする課題】
【０００６】
しかしながら、上記特許文献２の如き構成において、当該下げ床部の下方が外部に開放された屋外領域である場合には、当該屋外領域の外気が下げ床部と一般床部との間を通過して室内にまで到達し、建物全体として断熱性を損なう虞がある。
【０００７】
本発明は、このような問題を解決するためになされたものであり、一般床部を主たる構成とする中間階の一部に下げ床部を有する場合にも、これら一般床部と下げ床部との間を通過して外気が室内に流入することを防止できる建物の床構造を提供することを目的とする。
【課題を解決するための手段】
【０００８】
本発明は、少なくとも中間階を１以上有し、該中間階は、一般居室と、該一般居室に隣接して設けられて当該一般居室よりも床面の高さが低い床下げ居室とを備え、該床下げ居室の下方には外部に開放された屋外領域が形成された建物の床構造であって、一般居室の底部は一般床部により形成され、床下げ居室の底部は前記一般床部よりも低い位置に床面を有する下げ床部により形成され、一般床部の下方に下階居室が設けられると共に、下げ床部の下方には、気密性を有して下階居室の側面を形成する外壁部が設けられており、一般床部と下げ床部との間には、屋外領域の外気と床下げ居室との連続を遮蔽する蓋体が設けられ、蓋体は、上部が少なくとも一般床部との間で気密処理を施された状態で連結されていると共に、下部が下げ床部との間で気密処理を施された状態で連結されていることを特徴とする。
【０００９】
本発明によれば、一般床部と下げ床部の間が蓋体により塞がれ、且つ当該蓋体は各床部との間で気密処理を施された状態で連結されるので、屋外領域の外気が一般床部と下げ床部との間を通過することを確実に防止することができる。その結果、建物全体としての断熱性を確保できる。
【００１０】
本発明は、少なくとも中間階を１以上有し、該中間階は、一般居室と、該一般居室に隣接して設けられて当該一般居室よりも床面の高さが低い床下げ居室とを備え、該床下げ居室の下方には外部に開放された屋外領域が形成された建物の床構造であって、一般居室の底部は一般床部により形成され、床下げ居室の底部は一般床部よりも低い位置に床面を有する下げ床部により形成され、一般床部と下げ床部との間には、屋外領域の外気と床下げ居室との連続を遮蔽する蓋体が設けられ、蓋体は、上部が少なくとも一般床部との間で気密処理を施された状態で連結されていると共に、下部が下げ床部との間で気密処理を施された状態で連結され、中間階は、一般床部の床下げ居室側の端部を支持する梁を備え、蓋体は、プレート状に形成されて梁の床下げ居室側の側面に沿って設けられていることを特徴とする。本発明によれば、一般床部と下げ床部の間が蓋体により塞がれ、且つ当該蓋体は各床部との間で気密処理を施された状態で連結されるので、屋外領域の外気が一般床部と下げ床部との間を通過することを確実に防止することができる。その結果、建物全体としての断熱性を確保できる。また、一般床部が梁により支持されることとなり、一般床部の支持強度を向上させることができる。さらに、当該梁に沿って蓋体を設置することができるものとなり、蓋体取り付けの施工性の向上を図ることができる。
【００１１】
さらに、上記の梁は、一対のフランジをウェブにより接続してなるＨ型を呈しており、蓋体の梁側であって一対のフランジの間には、遮音材が充填されていると好適である。この構成では、床下げ居室の吸音性の向上を図ることができるものとなる。また、梁を一対のフランジを有するＨ型とすることで蓋体の室内側には、フランジ同士の間に不可避的なスペースが生じるが、このスペースに遮音材を充填する構成であるので、空いたスペースを有効活用でき、遮音材を設置するために新たに別途スペースを確保する必要がなくなって省スペース化に有効である。
【００１２】
さらに、一般床部及び下げ床部の室内側表面には気密層が設けられ、蓋体は、一般床部及び下げ床部の気密層に気密処理が施された状態で連結されていると好適である。この構成によれば、一般床部から下げ床部に亘って気密が確保された状態となり、中間階の気密性を著しく向上させることができるものとなっている。
【００１３】
さらに、一般床部の下方に下階居室が設けられると共に、下げ床部または梁の下方には、気密性を有して下階居室の側面を形成する外壁部が設けられており、外壁部と一般床部との間には、梁の下階居室側の側面に沿って延在し、且つ外壁部に気密処理を施された状態で連結されると共に、一般床部の床面に気密処理を施された状態で連結されて屋外領域の外気と下階居室との連続を遮断する第２の蓋体が設けられていると好適である。この構成によれば、一般居室下方の下階居室と床下げ居室下方の屋外領域との間に、第２の蓋体が設けられることとなり、屋外領域と下階居室との間を通過して外気が室内に流入することを防止することができる。
【００１４】
さらに、蓋体は、気密性と断熱性とを具備するプラスチック系断熱材により形成されていると好適である。この構成によれば、蓋体によって、一般床部と下げ床部との間に断熱性も付与されることとなり、床下げ居室の温熱環境の向上を図ることができる。また、例えば、蓋体を面材として形成することで、蓋体を設置する際の施工の容易化を図ることもできる。
【発明の効果】
【００１５】
本発明によれば、一般床部を主たる構成とする中間階の一部に下げ床部を有する場合にも、これら一般床部と下げ床部との間を通過して外気が室内に流入することを防止できる。
【図面の簡単な説明】
【００１６】
【図１】本発明の実施形態に係る建物の斜視図である。
【図２】本実施形態に係る建物の１階部分を示す断面図である。
【図３】本実施形態に係る建物の２階部分を示す断面図である。
【図４】図３のＩＶ−ＩＶ線に沿った断面図である。
【図５】図３のＶ−Ｖ線に沿った断面図である。
【発明を実施するための形態】
【００１７】
以下、本発明の好適な実施形態について図面を参照しながら説明する。
（建物の全体構成）
【００１８】
図１〜図３に示されるように、本発明の実施形態に係る建物１は、３階建ての住宅建物であって、梁３Ａ，３Ｂと柱４とからなる構造躯体２（図３参照）と、これら梁３Ａ，３Ｂや柱４等に支持されて各階の床を形成する各階床部５Ａ，５Ｂ，５Ｃと、梁３Ａ，３Ｂや柱４等に支持されて建物１の屋根を形成する屋根部６と、同じく梁３Ａ，３Ｂや柱４等に支持されて建物１の外皮を形成する外壁８とを備えている。なお、本実施形態に係る建物１では、適宜箇所に小梁３Ｚが設けられている箇所がある。
【００１９】
構造躯体２は、基礎から立ち上がる複数本（本実施形態においては８本）の柱４と、隣り合う柱４間に架設される複数本の梁３Ａ，３Ｂとを備えてなるいわゆるラーメン構造を構成している。
【００２０】
本実施形態に係る柱４は、建物１の１階下部から３階上部に亘って延設されており、各階を形成すべく所定高さに設定された梁接合部と、端部から梁接合部までを連絡する長尺状の部位、及び上下の各梁接合部間を連絡する長尺状の部位からなる一般部とを備えている。一般部は、公知の角形鋼管により形成されている。また、梁接合部は、梁３Ａ，３Ｂのせい（梁３Ａ，３Ｂの下端から上端までの高さ）と同程度の高さを有して四角筒状に形成されている。
【００２１】
梁３Ａ，３Ｂは、上下一対のフランジの中央部分をウェブにて連結してなるＨ型鋼により形成された梁本体と、梁本体の両端部に接合されて柱４の梁接合部に面接触するエンドプレートとを備えている。梁３Ａ，３Ｂは、エンドプレートが梁接合部に面接触して適宜にボルト結合される。
【００２２】
１階の床部５Ａは、所定寸法に形成される軽量気泡コンクリート（ＡＬＣ）製の複数枚の床パネル５ａ（図２参照）を基礎上に敷き並べて形成される。また、２階、及び３階の床部５Ｂ，５Ｃは、所定寸法に形成される軽量気泡コンクリート製の複数枚の床パネル５ａと、これら複数枚の床パネル５ａを構造力学的に一体化させる公知の剛床機構とを備えており、複数枚の床パネル５ａは適宜に梁３Ａ，３Ｂに支持されている。
【００２３】
なお、本実施形態では、２階が中間階に相当し、２階の床部５Ｂ（図３参照）は、２階の階高に一致した床面を有する一般床部５０と、床面が一般床部５０よりも低位となる下げ床部５１とを備えている。
【００２４】
屋根部６（図１参照）は、所定寸法に形成される軽量気泡コンクリート製の複数枚の屋根パネル６ａを備えている。また、屋根部６としては、水平に屋根パネル６ａを敷設してなる陸屋根部６１と、陸屋根部６１と建物１の外壁８とを連結する傾斜屋根部６２との二種類の態様が設けられている。
【００２５】
屋根部６は、屋外を向いて風雨に晒される外面領域を有するため、その外面領域には室内への雨水等の進入を防止するための防水構造が設けられている。例えば、陸屋根部６１には、軽量気泡コンクリート（ＡＬＣ）からなる屋根パネル６ａの上に発泡下地材（断熱材）、不燃板、そして防水シートが積層されて所定の防水構造が形成されている。また、傾斜屋根部６２には、軽量気泡コンクリート（ＡＬＣ）からなる屋根パネル６ａの上に不燃板、防水シート、そして屋根仕上げ材（瓦材）などが積層されて所定の防水構造が形成されている。
【００２６】
外壁８は、一般に所定寸法に形成された軽量気泡コンクリート製の複数枚の外壁パネル９Ａによって形成され、各外壁パネル９Ａは、いわゆるロッキング工法（「ロッキング機構」ともいう）により上下両端部が梁３Ａ，３Ｂに、または梁３Ａ，３Ｂと基礎とに保持されている。また、外壁パネル９Ａの内側には断熱材が沿設されており、断熱材の内側には内装材を支持する内装下地が設けられている。
【００２７】
本実施形態に係る主要な断熱材は、フェノールフォーム等の気密性を有するプラスチック系断熱材を用いて平板状に形成された断熱ボードである。この種の断熱材は、設置する部位のサイズに応じて複数のブロックに分割され、そして各ブロックは外壁パネル９Ａの内側の所定位置に敷設され、継ぎ目が気密テープなどで覆われて設置されている。なお、断熱材としては、ロックウールやグラスウール等の繊維系断熱材も適宜に用いられている。
【００２８】
また、内装下地は、一対の縦桟の間に複数の横桟を組みつけて形成される木製のフレーム状に形成されており、支持固定部材を介して床パネル５ａや梁３Ａ，３Ｂに固定されるものとなっている。また、内装材は、平板状の石膏ボードなどにより形成されており、その石膏ボードが内装下地に留め付けられることで形成されている。
【００２９】
本実施形態に係る建物１の全体構成は以上である。次に、本実施形態に係る建物１の間取り等の一例について簡単に説明する。
【００３０】
本実施形態に係る建物１は、１階の前部（通りに面した部分）にガレージ（キャビティ）Ｇが形成されている。また、ガレージＧよりも後方（奥方）となる領域は外壁８で覆われており、外壁８の内側となる屋内領域（室内の領域）には各居室等が設けられている。建物１の前方からガレージＧを眺めた場合の右側の屋内領域は手前側に突き出ており、この突き出た領域には玄関Ｒ１が設けられている。
【００３１】
また、２階には、１階のガレージＧの略上方となる前部にリビングＲ８が設けられており、リビングＲ８の奥方にキッチンＲ１０が設けられている。リビングＲ８は下げ床部５１として構成されている。
【００３２】
また、キッチンＲ１０に面してベランダＶが配されており、ベランダＶの先端部には、通常の手摺などよりも、せい（高さ）の高いハイウォール部１０が設けられている。ハイウォール部１０は外壁パネル９Ａによって形成され、ハイウォール部１０のせいは、２階の階高よりも数十センチ程度低くなっている。その結果、キッチンＲ１０は、ハイウォール部１０によって隣接する建物からの視線が遮断される一方、採光を確保できるものとなっている。
（下げ床居室と一般居室との間の床構造）
【００３３】
次に、本発明の実施形態に係る床構造について、図３〜図５を参照して詳しく説明する。上述のように、中間階となる２階は、キッチンＲ１０を備えた一般居室Ｒ２０と、一般居室Ｒ２０に隣接して設けられたリビング（以下、「床下げ居室」という）Ｒ８とを備えている。一般居室Ｒ２０の底部は、２階の主たる構成となる一般床部５０により形成され、床下げ居室Ｒ８の底部は一般床部５０よりも床面５１ａの高さが低い下げ床部５１により形成されている。また、床下げ居室Ｒ８の下方には、外部に開放された屋外領域となるガレージＧが設けられている。
【００３４】
ガレージＧは、床下げ居室Ｒ８の真下で、平面視で下げ床部５１と重なる車庫部Ｇａと、車庫部Ｇａの後方で、平面視で一般床部５０の一部に重なり、そして玄関Ｒ１から室内へ出入り可能となるように設けられた玄関連絡部Ｇｂとを備えている。
【００３５】
通常の一般的な建物では一つの中間階において床面が全体的にフラット（平坦）である場合が多く、構造的に気密性を確保し易い。一方、本実施形態に係る建物１では、床下げ居室Ｒ８の下げ床部５１が一般居室Ｒ２０の一般床部５０よりも低くなっており、下げ床部５１と一般床部５０との連絡部位に段差が生じるため、従来の床構造では充分な気密性を確保することが難しい。そこで、本実施形態では、従来とは異なる特殊な床構造１１Ａ，１１Ｂを採用している。以下、玄関Ｒ１の上方における一般床部５０と下げ床部５１との間の床構造１１Ａ（第１の実施形態）と、ガレージＧの玄関連絡部Ｇｂの上方における一般床部５０と下げ床部５１との間の床構造１１Ｂ（第２の実施形態）とを順番に説明する。
（第１の実施形態に係る床構造）
【００３６】
一般床部５０はＡＬＣ製の複数の床パネル５ａを供えて形成されている。図４に示されるように、床パネル５ａの床下げ居室Ｒ８側の端部は、柱４に架設された梁（以下、便宜的に「一般床用梁」という）３Ｂに当接して支持されている。一般床用梁３Ｂは、上部フランジ３ａ、及び下部フランジ３ｃと、上下一対のフランジ３ａ，３ｃを接続するウェブ３ｂとを備えており、断面視でＨ型を呈するＨ型鋼からなる。
【００３７】
一般床用梁３Ｂの下方には、下げ床部５１の複数の床パネル５ａを支持する梁（以下、便宜的に「下げ床用梁」という）３Ｃが設けられている。下げ床用梁３Ｃは、上部フランジ３ｄ、及び下部フランジ３ｆと、上下一対のフランジ３ｄ，３ｆを接続するウェブ３ｅとを備えており、断面視でＨ型を呈するＨ型鋼からなる。下げ床用梁３Ｃは、一般床用梁３Ｂの長手方向に沿って延在し、平面視で一般床用梁３Ｂに重なるように配置されている。さらに、下げ床用梁３Ｃは、一般床用梁３Ｂの下部フランジ３ｃに連結用の金物（以下、「連結金物」という）３０を介してボルト結合されている。
【００３８】
下げ床用梁３Ｃのウェブ３ｅの床下げ居室Ｒ８側には、下げ床部５１の床パネル５ａを支持するための支持金物３６が結合されており、支持金物３６には、上部にＬ字状の切欠部３６ａが設けられている。切欠部３６ａには断面Ｌ字状の長尺部材５２が当接され、床パネル５１ａは長尺部材５２に支持されている。
【００３９】
下げ床部５１の床パネル５ａは、ＡＬＣ製のパネル部材であり、或る程度の断熱性、及び気密性を有する。この床パネル５ａは、一般居室Ｒ２０側の端部下面が長尺部材５２に支持されている。なお、床パネル５ａと長尺部材５２との間の隙間には、モルタルなどの気密材５３が充填されている。
【００４０】
下げ床部５１の床パネル５ａの上方には、フェノールフォーム等の気密性を有するプラスチック系断熱材から製造された断熱板（以下、「蓋体」という）２０が立設されている。蓋体２０はプレート状に形成され、気密処理が施された状態で、気密材５３を介して床パネル５ａに連結されている。
【００４１】
また、蓋体２０は、一般床用梁３Ｂの床下げ居室Ｒ８側の側面に沿って設けられている。そして、蓋体２０の一般床用梁３Ｂ側で、且つ上下のフランジ３ａ，３ｃの間には、ロックウールなどの遮音性（吸音性）を有する遮音材２１が充填されている。なお、本実施形態では、遮音材２１は付加的に断熱性の機能も有する。
【００４２】
また、蓋体２０は、一般床用梁３Ｂの上部フランジ３ａよりも上方に突き出し、上端部が一般床部５０の床パネル５ａの上端面に揃うように配置されている。蓋体２０と床パネル５ａとの間にはモルタルなどの気密材２２が充填されており、その結果、蓋体２０の上部は、気密材２２を介して一般床部５０の床パネル５ａに気密処理が施された状態で連結されている。
【００４３】
また、蓋体２０の上端部２０ａ、気密材２２の上面２２ａ、及び床パネル５ａの上端面（室内側の表面）５０ａの上には、モルタルなどのセルフレベリング材が設置されて平滑層５０ｂが形成されている。その結果、蓋体２０の上端部２０ａは、平滑層５０ｂを介して、あるいは、シール材、接着、気密テープなどによって気密処理が施された状態で一般床部５０に連結された態様を具現化している。なお、平滑層５０ｂの機能は、パネル状の床仕上げ材５０ｃを平坦に支えることにあり、平滑層５０ｂの上には、平滑層５０ｂの全面を覆うように床仕上げ材５０ｃが設置されている。平滑層５０ｂは、本発明において一般床部の室内側表面に設けられた気密層に相当する。
【００４４】
以上の一般床部５０と同様に、下げ床部５１の床パネル５ａの床面（室内側の表面）５１ａにも、モルタルなどのセルフレベリング材が設置されて平滑層５１ｂが形成されている。そして、蓋体２０の下端部２０ｂは、下げ床部５１の気密材５３、及び平滑層５１ｂにシール材、接着、気密テープなどによって気密処理が施された状態で連結されている。平滑層５１ｂは、本発明において下げ床部の室内側表面に設けられた気密層に相当する。
【００４５】
蓋体２０の床下げ居室Ｒ８側には、蓋体２０の側面に沿って木製フレーム状の内装下地２３が立設されている。また、内装下地２３の床下げ居室Ｒ８側には、石膏ボード等の内装仕上げ材２３ａ，２３ｂが二枚重ねて設置されている。内装仕上げ材２３ｂの上端は、一般床部５０の床仕上げ材５０ｃに連絡し、内装仕上げ材２３ｂと床仕上げ材５０ｃとの連絡部位には框２５が固定されている。
【００４６】
下げ床部５１の平滑層５１ｂの上には、床仕上げ材５１ｃが設置されている。床仕上げ材５１ｃは、内装仕上げ材２３ｂの下部に当接するように配置され、内装仕上げ材２３ｂと床仕上げ材５１ｃとの接点には幅木２４が設置されている。
【００４７】
下げ床部５１、及び下げ床用梁３Ｃの下方には、気密性を有して下階居室となる玄関Ｒ１の側面を形成するＡＬＣ製の外壁パネル（外壁部）９Ｂが設けられている。下げ床用梁３Ｃの下部フランジ３ｆには、外壁パネル９Ｂの上端部をロッキング機構にて支持する外壁支持部３３が設けられている。外壁支持部３３は、外壁パネル９Ｂの上端部を挟むようにして支えている。
【００４８】
外壁支持部３３のガレージＧ側には、軒天３７が設置されている。軒天３７の上面側、すなわち、室内側には軒天３７を覆うようにロックウールなどの断熱材３８が設置され、さらに、断熱材３８と下げ床部５１の床パネル５ａとの間には空気層Ａｃが形成されている。
【００４９】
玄関Ｒ１の外壁８を形成する外壁パネル９Ｂの室内側には、フェノールフォーム等の気密性を有するプラスチック系断熱材から製造された断熱ボード（以下、「第１断熱部」という）４１が設置されている。第１断熱部４１は、外壁パネル９Ｂの壁面に沿って立設され、外壁パネル９Ｂに接着等によって気密処理が施された状態で連結されている。
【００５０】
下部フランジ３ｆの下面には、フェノールフォーム等の気密性を有するプラスチック系断熱材から製造された断熱ボード（以下、「第２断熱部」という）４２が設置されている。第２断熱部４２は、外壁パネル９Ｂ側の端部が第１断熱部４１の上部に当接し、気密テープの貼付や接着などの気密処理が施された状態で連結されている。また、第２断熱部４２は、室内側の端部が下げ床用梁３Ｃの上、下のフランジ３ｄ，３ｆの室内側の端部に揃うように配置されている。
【００５１】
下げ床用梁３Ｃ、及び一般床用梁３Ｂの室内側には、フェノールフォーム等の気密性を有するプラスチック系断熱材から製造された断熱板（以下、「第３断熱部」という）４３が立設されている。第３断熱部４３はプレート状に形成され、下部は、第２断熱部４２の室内側の端部に接着等によって気密処理が施された状態で連結されている。また、第３断熱部４３は、下げ床用梁３Ｃの上下フランジ３ｄ，３ｆの室内側の端部、及び一般床用梁３Ｂの上下フランジ３ａ，３ｃの室内側の端部に当接し、上部が、一般床部５０の床パネル５ａの下面（床面）５０ｄに気密テープの貼付や接着などの気密処理が施された状態で連結されている。
【００５２】
なお、一般床用梁３Ｂの室内側において上下フランジ３ａ，３ｃの間には、フェノールフォーム等の気密性を有するプラスチック系断熱材から製造された断熱ボード（以下「ねじ止め用ボード」という）２６が設置されている。ねじ止め用ボード２６は、縦にした状態で、且つボード表面の法線方向を一般床用梁３Ｂの長手方向に向けた状態で所定箇所に適宜に嵌め込まれている。第３断熱部４３は、ねじ止め用ボード２６の室内側の端縁部に当接し、ねじ２７によってねじ止め用ボード２６に固定されている。
【００５３】
第３断熱部４３は、外壁パネル９Ｂと一般床部５０との間に配置されており、下げ床用梁３Ｃ、及び一般床用梁３Ｂの玄関（下階居室）Ｒ１側の側面に沿って延在する。さらに第３断熱部４３は、第１断熱部４１、及び第２断熱部４２を介して外壁パネル９Ｂに気密処理が施された状態で連結され、また、一般床部５０の床パネル５ａの下面（床面）５０ｄに気密処理が施された状態で連結されている。第３断熱部４３は、第２の蓋体に相当し、屋外領域となるガレージＧの外気と玄関Ｒ１との連続を遮断する。
【００５４】
第３断熱部４３の室内側には、第３断熱部４３の側面に沿って木製フレーム状の内装下地４４が設置され、さらに内装下地４４の室内側には、石膏ボード等の内装仕上げ材４５が設置されている。また、内装仕上げ材４５には、内壁天井４６となる内装仕上げ材が設置されており、内壁天井４６と内装仕上げ材４５との接点には廻縁４７が固定されている。
【００５５】
本実施形態に係る床構造１１Ａによれば、一般床部５０と下げ床部５１との間が蓋体２０により塞がれ、且つ蓋体２０は一般床部５０と下げ床部５１との間で気密処理が施された状態で連結されるので、屋外領域となるガレージＧからの外気が一般床部５０と下げ床部５１との間を通過して室内に流入することを確実に防止することができる。
【００５６】
さらに、中間階である２階は、一般床部５０の床下げ居室Ｒ８側の端部が一般床用梁３Ｂによって支持されており、一般床部５０の支持強度を向上させている。さらに、蓋体２０は、プレート状に形成されて一般床用梁３Ｂの床下げ居室Ｒ８側の側面に沿って設置できるので、蓋体２０を取り付ける際の施工性の向上を図ることができる。
【００５７】
さらに、本実施形態では、蓋体２０の一般床用梁３Ｂ側であって、上下一対のフランジ３ａ，３ｂの間には、遮音材２１が充填されているので、床下げ居室Ｒ８の主として吸音性の向上を図ることができ、さらに、補足的に断熱性の向上をも図ることができる。なお、一般床用梁３ＢはＨ型鋼からなるので、上下一対のフランジ３ａ，３ｂ同士の間に不可避的なスペースが生じるが、このスペースに遮音材２１を充填することで、空いたスペースを有効活用でき、遮音材２１を設置するために新たに別途スペースを確保する必要がなくなって省スペース化に有効である。
【００５８】
さらに、一般床部５０及び下げ床部５１の上端面（室内側表面）５０ａ，５１ａには平滑層５０ｂ，５１ｂが設けられ、蓋体２０は、一般床部５０及び下げ床部５１の平滑層５０ｂ，５１ｂに気密処理が施された状態で連結されているので、一般床部５０から下げ床部５１に亘って気密が確保された状態となり、特に、中間階である２階の気密性を著しく向上させることができる。
【００５９】
さらに、外壁パネル９Ｂと一般床部５１との間には、屋外領域であるガレージＧの外気と玄関Ｒ１との連続を遮断する第３断熱部（第２の蓋体）４３が設けられている。つまり、一般居室Ｒ２０下方の玄関Ｒ１と床下げ居室Ｒ８下方のガレージＧとの間に、第３断熱部４３が設けられることとなり、ガレージＧと玄関Ｒ１との間を通過して外気が室内に流入することを防止することができる。
【００６０】
さらに、上記の蓋体２０、または第３断熱部（第２の蓋体）４３は、気密性と断熱性とを具備するプラスチック系断熱材により形成されているので、蓋体２０，または第３断熱部４３によって、一般床部５０と下げ床部５１との間に断熱性も付与されることとなり、床下げ居室Ｒ８の温熱環境の向上を図ることができる。また、蓋体２０、または第３断熱部４３は、プレート状部材（面材）なので、蓋体２０、または第３断熱部４３を設置する際の施工の容易化を図ることもできる。
（第２の実施形態に係る床構造）
【００６１】
図５に示されるように、本発明の第２実施形態に係る床構造１１Ｂは、ガレージＧの玄関連絡部Ｇｂの上方における一般床部５０と下げ床部５１との間に設けられている。なお、本実施形態に係る床構造１１Ｂにおいて、第１実施形態に係る床構造１１Ａと共通の部材や要素、または実質的に同一の部材や要素については、第１実施形態に係る床構造１１Ａと同一の符号を付して詳細な説明は省略する。
【００６２】
本実施形態に係る床構造１１Ｂにおいても、第１実施形態に係る床構造１１Ａと同様に、一般床部５０と下げ床部５１との間には、ガレージＧ（屋外領域）の外気と床下げ居室Ｒ８との連続を遮蔽する蓋体２０が設けられている。つまり、蓋体２０は、上部が少なくとも一般床部５０との間で気密処理を施された状態で連結されていると共に、下部が下げ床部５１との間で気密処理を施された状態で連結されている。
【００６３】
一般床用梁３Ｂの下部フランジ３ｃには、外壁パネル９Ｃの上端部を支持する上部支持部７２が留め付けられている。また、下げ床用梁３Ｃの下部フランジ３ｆには、外壁パネル９Ｃの下部を支持する下部支持部７１が留め付けられている。なお、外壁パネル９Ｃは、下げ床用梁３Ｃを目隠しするためのパネルであり、ＡＬＣ製である。
【００６４】
下部支持部７１の床下げ居室Ｒ８側には、軒天３７が設置されている。軒天３７の上面側、すなわち、室内側には軒天３７を覆うようにロックウールなどの断熱材３８が設置され、さらに、断熱材３８と下げ床部５１の床パネル５ａとの間には空気層Ａｃが形成されている。
【００６５】
上部支持部７２の床下げ居室Ｒ８とは反対となる側には、軒天６４が設置されている。軒天６４の上面側、すなわち、室内側には軒天６４を覆うようにロックウールなどの断熱材３９が設置され、さらに、断熱材３９と下げ床部５１の床パネル５ａとの間には空気層Ａｓが形成されている。
【００６６】
本実施形態に係る床構造１１Ｂによれば、一般床部５０と下げ床部５１との間が蓋体２０により塞がれ、且つ蓋体２０は一般床部５０と下げ床部５１との間で気密処理が施された状態で連結されるので、屋外領域となるガレージＧの外気が一般床部５０と下げ床部５１との間を通過して室内に流入することを確実に防止することができる。特に、本実施形態では、ガレージＧの車庫部Ｇａだけではなく、玄関連絡部Ｇｂとの間での外気の通過を考慮する必要があるところ、蓋体２０によって玄関連絡部Ｇｂの外気が一般床部５０と下げ床部５１との間を通過して室内に流入することを確実に防止することができる。
【００６７】
以上、本発明を各実施形態に基づいて説明したが、本発明は、以上の各実施形態のみに限定されるものではなく、例えば、中間階としては、４階建て以上の建物の場合には、最下階または最上階を除く、２階、または３階以上の上階であってもよい。また、蓋体となる部材はフェノールフォーム等に限定されず、断熱性や気密性を確保し得るその他の要素であってもよい。
【符号の説明】
【００６８】
１…建物、３Ｂ…一般床用梁、３ａ…上部フランジ、３ｂ…下部フランジ、３ｃ…ウェブ、９Ｃ…外壁パネル（外壁部）、１１Ａ，１１Ｂ…床構造、２０…蓋体、２１…遮音材、４３…第２の蓋体、５０…一般床部、５０ａ…一般床部の上端面（室内側表面）、５０ｂ…一般床部の気密層、５１…下げ床部、５１ａ…下げ床部の上端面（室内側表面）、５１ｂ…下げ床部の気密層、Ｇ…ガレージ（屋外領域）、Ｒ１…玄関（下階居室）、Ｒ２０…一般居室、Ｒ８…床下げ居室。
【図１】
0005653712.tif 000002
【図２】
0005653712.tif 000003
【図３】
0005653712.tif 000004
【図４】
0005653712.tif 000005
【図５】
0005653712.tif 000006